(57)【特許請求の範囲】
【請求項１】
各種オブジェクトから構成されるコンテンツを検索要求に従って検索した結果であるコンテンツ群を受け付けるコンテンツ検索結果受付部と、
このコンテンツ検索結果受付部により受け付けた検索結果の前記コンテンツ群を予め定めた優先順位に基づいて順位付けした後、前記各コンテンツからズーム対象となるオブジェクトを選択し、前記オブジェクト毎の同一画面内での詳細度変化や表示メディア遷移を連続的に実現するズーム操作／挙動を記述することにより前記コンテンツの検索結果一覧を生成して出力する表示コード生成部と、
を備え、
前記表示コード生成部は、前記オブジェクトの表示メディアがテキストである場合に、前記オブジェクトに対するズーム率に対して前記オブジェクト内に表示すべき文字数を対応付けてズーム操作／挙動を記述する、
ことを特徴とするコンテンツ処理装置。
【請求項２】
前記表示コード生成部は、ズーム操作の対象となる前記テキストの先頭からの文字数を、ズーム率に対応付ける、
ことを特徴とする請求項１記載のコンテンツ処理装置。
【請求項３】
前記表示コード生成部は、ズーム操作の対象となる前記テキストの中央部分を含む前後の合計文字数を、ズーム率に対応付ける、
ことを特徴とする請求項１記載のコンテンツ処理装置。
【請求項４】
各種オブジェクトから構成されるコンテンツを検索要求に従って検索した結果であるコンテンツ群を受け付けるコンテンツ検索結果受付部と、
このコンテンツ検索結果受付部により受け付けた検索結果の前記コンテンツ群を予め定めた優先順位に基づいて順位付けした後、前記各コンテンツからズーム対象となるオブジェクトを選択し、前記オブジェクト毎の同一画面内での詳細度変化や表示メディア遷移を連続的に実現するズーム操作／挙動を記述することにより前記コンテンツの検索結果一覧を生成して出力する表示コード生成部と、
を備え、
前記表示コード生成部は、前記オブジェクトの表示メディアがテキストである場合に、前記オブジェクトに対するズーム率に対して前記オブジェクト内に表示すべき文字行数を対応付けてズーム操作／挙動を記述する、
ことを特徴とするコンテンツ処理装置。
【請求項５】
前記表示コード生成部は、ズーム操作の対象となる前記テキストの先頭からの文字行数を、ズーム率に対応付ける、
ことを特徴とする請求項４記載のコンテンツ処理装置。
【請求項６】
前記表示コード生成部は、ズーム操作の対象となる前記テキストの中央部分を含む前後の合計文字行数を、ズーム率に対応付ける、
ことを特徴とする請求項４記載のコンテンツ処理装置。
【請求項７】
ズーム操作／挙動は、コンテンツの構造記述あるいはスタイル記述の一方ないし両方に付加される、
ことを特徴とする請求項１ないし６のいずれか一記載のコンテンツ処理装置。
【請求項８】
各種オブジェクトから構成されるコンテンツを格納するコンテンツ格納部と、
検索要求を受け付けて、前記コンテンツ格納部に格納されている前記コンテンツを検索するコンテンツ検索制御部と、
を更に備え、
前記コンテンツ検索結果受付部は、前記コンテンツ検索制御部による検索結果の前記コンテンツ群を受け付ける、
ことを特徴とする請求項１ないし７のいずれか一記載のコンテンツ処理装置。
【請求項９】
各種オブジェクトから構成されるコンテンツを検索要求に従って検索した結果であるコンテンツ群を受け付けるコンテンツ検索結果受付機能と、
このコンテンツ検索結果受付機能により受け付けた検索結果の前記コンテンツ群を予め定めた優先順位に基づいて順位付けした後、前記各コンテンツからズーム対象となるオブジェクトを選択し、前記オブジェクト毎の同一画面内での詳細度変化や表示メディア遷移を連続的に実現するズーム操作／挙動を記述することにより前記コンテンツの検索結果一覧を生成して出力する表示コード生成機能と、
をコンピュータに実行させ、
前記表示コード生成部は、前記オブジェクトの表示メディアがテキストである場合に、前記オブジェクトに対するズーム率に対して前記オブジェクト内に表示すべき文字数を対応付けてズーム操作／挙動を記述する、
ことを特徴とするコンテンツ処理プログラム。
【請求項１０】
前記表示コード生成機能は、ズーム操作の対象となる前記テキストの先頭からの文字数を、ズーム率に対応付ける、
ことを特徴とする請求項９記載のコンテンツ処理プログラム。
【請求項１１】
前記表示コード生成機能は、ズーム操作の対象となる前記テキストの中央部分を含む前後の合計文字数を、ズーム率に対応付ける、
ことを特徴とする請求項９記載のコンテンツ処理プログラム。
【請求項１２】
各種オブジェクトから構成されるコンテンツを検索要求に従って検索した結果であるコンテンツ群を受け付けるコンテンツ検索結果受付機能と、
このコンテンツ検索結果受付機能により受け付けた検索結果の前記コンテンツ群を予め定めた優先順位に基づいて順位付けした後、前記各コンテンツからズーム対象となるオブジェクトを選択し、前記オブジェクト毎の同一画面内での詳細度変化や表示メディア遷移を連続的に実現するズーム操作／挙動を記述することにより前記コンテンツの検索結果一覧を生成して出力する表示コード生成機能と、
をコンピュータに実行させ、
前記表示コード生成部は、前記オブジェクトの表示メディアがテキストである場合に、前記オブジェクトに対するズーム率に対して前記オブジェクト内に表示すべき文字行数を対応付けてズーム操作／挙動を記述する、
ことを特徴とするコンテンツ処理プログラム。
【請求項１３】
前記表示コード生成機能は、ズーム操作の対象となる前記テキストの先頭からの文字行数を、ズーム率に対応付ける、
ことを特徴とする請求項１２記載のコンテンツ処理プログラム。
【請求項１４】
前記表示コード生成機能は、ズーム操作の対象となる前記テキストの中央部分を含む前後の合計文字行数を、ズーム率に対応付ける、
ことを特徴とする請求項１２記載のコンテンツ処理プログラム。
【請求項１５】
各種オブジェクトから構成されるコンテンツをコンテンツ格納部に格納させるコンテンツ格納機能と、
検索要求を受け付けて、前記コンテンツ格納部に格納されている前記コンテンツを検索するコンテンツ検索制御機能と、
を更にコンピュータに実行させ、
前記コンテンツ検索結果受付機能は、前記コンテンツ検索制御機能による検索結果の前記コンテンツ群を受け付ける、
ことを特徴とする請求項９ないし１４のいずれか一記載のコンテンツ処理プログラム。
【請求項１６】
検索結果のコンテンツ群を予め定めた優先順位に基づいて順位付けした後、各コンテンツからズーム対象となるオブジェクトを選択し、オブジェクト毎の同一画面内での詳細度変化や表示メディア遷移を連続的に実現するズーム操作／挙動を記述することによりコンテンツの検索結果一覧を生成して出力するコンテンツ処理装置におけるコンテンツ処理方法であって、
前記表示コード生成部は、前記オブジェクトの表示メディアがテキストである場合に、前記オブジェクトに対するズーム率に対して前記オブジェクト内に表示すべき文字数を対応付けてズーム操作／挙動を記述する、
ことを特徴とするコンテンツ処理方法。
【請求項１７】
検索結果のコンテンツ群を予め定めた優先順位に基づいて順位付けした後、各コンテンツからズーム対象となるオブジェクトを選択し、オブジェクト毎の同一画面内での詳細度変化や表示メディア遷移を連続的に実現するズーム操作／挙動を記述することによりコンテンツの検索結果一覧を生成して出力するコンテンツ処理装置におけるコンテンツ処理方法であって、
前記表示コード生成部は、前記オブジェクトの表示メディアがテキストである場合に、前記オブジェクトに対するズーム率に対して前記オブジェクト内に表示すべき文字行数を対応付けてズーム操作／挙動を記述する、
ことを特徴とするコンテンツ処理方法。
【発明の詳細な説明】
【技術分野】
【０００１】
本発明は、コンテンツ処理装置、コンテンツ処理プログラムおよびコンテンツ処理方法に関する。
【背景技術】
【０００２】
ネットワークのＷｅｂ環境は日々進展しており、そこに含まれる情報量が増大しつつある。一方、情報の形態もテキストだけでなく、静止画像、動画像、音声等のマルチメディア化がさらに進んでいる。このようなネットワーク上の膨大な情報をＷｅｂの閲覧者が有効活用するためには、自らの利用目的に沿った情報を効率的に検索できることが何よりも望まれる。そこで、近年においては、各種の検索エンジンを用いることにより、情報を効率的に検索できるようになっている。
【０００３】
ところで、このような検索エンジンでは、図１１に示すように、基本的に検索結果の一部（キーワードを含む数行のテキスト、もしくは、キーワード近傍の画像サムネイル）の一覧を提示するのみであり、それ以上の情報を得るためにはリンク先のＷｅｂページを１つ１つ開けてはその内容を確認し、所望の情報が得られない場合は再び検索結果一覧画面に戻るという作業を繰り返すことになる。
【０００４】
一方、なじみの薄い分野についてキーワードによる情報検索を行う場合、適切なキーワードを思いつくことは必ずしも容易でなく、検索結果の中に閲覧者が期待しない（不要な）情報が含まれることがしばしば発生する。そのような場合、キーワードを試行錯誤的に追加しつつ検索対象を絞り込んでいく方法があるが、何度も検索を繰り返す手間がかかる。そこで、検索結果をカテゴライズして表示すると、閲覧者は対象分野の全容を把握しやすくなるため、希望するカテゴリの情報のみを見つけ出すことが容易となる。このような検索結果のカテゴライズ表示については、例えば非特許文献１に記載されている。
【０００５】
【非特許文献１】Bill Kules and Ben Shneiderman, "Categorized graphical overviews for web search results: An exploratory study using U. S. government agencies as a meaningful and stable structure," Proceedings of the Third Annual Workshop on HCI Research in MIS, Washington, D.C., December 10-11, 2004
【発明の開示】
【発明が解決しようとする課題】
【０００６】
しかしながら、検索結果一覧からリンク先を１つ１つ開けるという作業を繰り返すことは非常に面倒であり、このように検索結果とリンク先を何度も往復すると、情報閲覧の文脈が失われて検索効率が低下するという問題がある。逆に、各検索結果Ｗｅｂページに関して多くの情報を提示すると、全体の一覧性が悪くなり、やはり検索効率が低下する。なお、近年においては、リンク先のＷｅｂページを一覧画面内に縮小表示する方法も現れてきているが、これらはリンク先全体の雰囲気を掴むことはできても、テキストの内容や画像の詳細はわからないという問題がある。
【０００７】
また、非特許文献１に記載されている検索結果をカテゴライズして表示する技術によれば、カテゴリを選択した後の一覧画面は、検索エンジンの通常のキーワード検索結果画面と同様の抜粋されたテキストから構成されており、それ以上の情報を得るには、やはり、リンク先ページを開けねばならない。
【０００８】
本発明は、上記に鑑みてなされたものであって、表示メディアがテキストである場合に、ズーム操作／挙動記述を簡潔にすることができ、ズーム操作／挙動記述の手間やズーム操作／挙動記述量の低減や、可読性の向上という効果を得ることを目的とする。
【課題を解決するための手段】
【０００９】
上述した課題を解決し、目的を達成するために、請求項１にかかる発明のコンテンツ処理装置は、各種オブジェクトから構成されるコンテンツを検索要求に従って検索した結果であるコンテンツ群を受け付けるコンテンツ検索結果受付部と、このコンテンツ検索結果受付部により受け付けた検索結果の前記コンテンツ群を予め定めた優先順位に基づいて順位付けした後、前記各コンテンツからズーム対象となるオブジェクトを選択し、前記オブジェクト毎の同一画面内での詳細度変化や表示メディア遷移を連続的に実現するズーム操作／挙動を記述することにより前記コンテンツの検索結果一覧を生成して出力する表示コード生成部と、を備え、前記表示コード生成部は、前記オブジェクトの表示メディアがテキストである場合に、前記オブジェクトに対するズーム率に対して前記オブジェクト内に表示すべき文字数を対応付けてズーム操作／挙動を記述する。
【００１０】
また、請求項２にかかる発明は、請求項１記載のコンテンツ処理装置において、前記表示コード生成部は、ズーム操作の対象となる前記テキストの先頭からの文字数を、ズーム率に対応付ける。
【００１１】
また、請求項３にかかる発明は、請求項１記載のコンテンツ処理装置において、前記表示コード生成部は、ズーム操作の対象となる前記テキストの中央部分を含む前後の合計文字数を、ズーム率に対応付ける。
【００１２】
また、請求項４にかかる発明のコンテンツ処理装置は、各種オブジェクトから構成されるコンテンツを検索要求に従って検索した結果であるコンテンツ群を受け付けるコンテンツ検索結果受付部と、このコンテンツ検索結果受付部により受け付けた検索結果の前記コンテンツ群を予め定めた優先順位に基づいて順位付けした後、前記各コンテンツからズーム対象となるオブジェクトを選択し、前記オブジェクト毎の同一画面内での詳細度変化や表示メディア遷移を連続的に実現するズーム操作／挙動を記述することにより前記コンテンツの検索結果一覧を生成して出力する表示コード生成部と、を備え、前記表示コード生成部は、前記オブジェクトの表示メディアがテキストである場合に、前記オブジェクトに対するズーム率に対して前記オブジェクト内に表示すべき文字行数を対応付けてズーム操作／挙動を記述する。
【００１３】
また、請求項５にかかる発明は、請求項４記載のコンテンツ処理装置において、前記表示コード生成部は、ズーム操作の対象となる前記テキストの先頭からの文字行数を、ズーム率に対応付ける。
【００１４】
また、請求項６にかかる発明は、請求項４記載のコンテンツ処理装置において、前記表示コード生成部は、ズーム操作の対象となる前記テキストの中央部分を含む前後の合計文字行数を、ズーム率に対応付ける。
【００１５】
また、請求項７にかかる発明は、請求項１ないし６のいずれか一記載のコンテンツ処理装置において、ズーム操作／挙動は、コンテンツの構造記述あるいはスタイル記述の一方ないし両方に付加される。
【００１６】
また、請求項８にかかる発明は、請求項１ないし７のいずれか一記載のコンテンツ処理装置において、各種オブジェクトから構成されるコンテンツを格納するコンテンツ格納部と、検索要求を受け付けて、前記コンテンツ格納部に格納されている前記コンテンツを検索するコンテンツ検索制御部と、を更に備え、前記コンテンツ検索結果受付部は、前記コンテンツ検索制御部による検索結果の前記コンテンツ群を受け付ける。
【００１７】
また、請求項９にかかる発明のコンテンツ処理プログラムは、各種オブジェクトから構成されるコンテンツを検索要求に従って検索した結果であるコンテンツ群を受け付けるコンテンツ検索結果受付機能と、このコンテンツ検索結果受付機能により受け付けた検索結果の前記コンテンツ群を予め定めた優先順位に基づいて順位付けした後、前記各コンテンツからズーム対象となるオブジェクトを選択し、前記オブジェクト毎の同一画面内での詳細度変化や表示メディア遷移を連続的に実現するズーム操作／挙動を記述することにより前記コンテンツの検索結果一覧を生成して出力する表示コード生成機能と、をコンピュータに実行させ、前記表示コード生成部は、前記オブジェクトの表示メディアがテキストである場合に、前記オブジェクトに対するズーム率に対して前記オブジェクト内に表示すべき文字数を対応付けてズーム操作／挙動を記述する。
【００１８】
また、請求項１０にかかる発明は、請求項９記載のコンテンツ処理プログラムにおいて、前記表示コード生成機能は、ズーム操作の対象となる前記テキストの先頭からの文字数を、ズーム率に対応付ける。
【００１９】
また、請求項１１にかかる発明は、請求項９記載のコンテンツ処理プログラムにおいて、前記表示コード生成機能は、ズーム操作の対象となる前記テキストの中央部分を含む前後の合計文字数を、ズーム率に対応付ける。
【００２０】
また、請求項１２にかかる発明のコンテンツ処理プログラムは、各種オブジェクトから構成されるコンテンツを検索要求に従って検索した結果であるコンテンツ群を受け付けるコンテンツ検索結果受付機能と、このコンテンツ検索結果受付機能により受け付けた検索結果の前記コンテンツ群を予め定めた優先順位に基づいて順位付けした後、前記各コンテンツからズーム対象となるオブジェクトを選択し、前記オブジェクト毎の同一画面内での詳細度変化や表示メディア遷移を連続的に実現するズーム操作／挙動を記述することにより前記コンテンツの検索結果一覧を生成して出力する表示コード生成機能と、をコンピュータに実行させ、前記表示コード生成部は、前記オブジェクトの表示メディアがテキストである場合に、前記オブジェクトに対するズーム率に対して前記オブジェクト内に表示すべき文字行数を対応付けてズーム操作／挙動を記述する。
【００２１】
また、請求項１３にかかる発明は、請求項１２記載のコンテンツ処理プログラムにおいて、前記表示コード生成機能は、ズーム操作の対象となる前記テキストの先頭からの文字行数を、ズーム率に対応付ける。
【００２２】
また、請求項１４にかかる発明は、請求項１２記載のコンテンツ処理プログラムにおいて、前記表示コード生成機能は、ズーム操作の対象となる前記テキストの中央部分を含む前後の合計文字行数を、ズーム率に対応付ける。
【００２３】
また、請求項１５にかかる発明は、請求項９ないし１４のいずれか一記載のコンテンツ処理プログラムにおいて、各種オブジェクトから構成されるコンテンツをコンテンツ格納部に格納させるコンテンツ格納機能と、検索要求を受け付けて、前記コンテンツ格納部に格納されている前記コンテンツを検索するコンテンツ検索制御機能と、を更にコンピュータに実行させ、前記コンテンツ検索結果受付機能は、前記コンテンツ検索制御機能による検索結果の前記コンテンツ群を受け付ける。
【００２４】
また、請求項１６にかかる発明のコンテンツ処理方法は、検索結果のコンテンツ群を予め定めた優先順位に基づいて順位付けした後、各コンテンツからズーム対象となるオブジェクトを選択し、オブジェクト毎の同一画面内での詳細度変化や表示メディア遷移を連続的に実現するズーム操作／挙動を記述することによりコンテンツの検索結果一覧を生成して出力するコンテンツ処理装置におけるコンテンツ処理方法であって、前記表示コード生成部は、前記オブジェクトの表示メディアがテキストである場合に、前記オブジェクトに対するズーム率に対して前記オブジェクト内に表示すべき文字数を対応付けてズーム操作／挙動を記述する。
【００２５】
また、請求項１７にかかる発明のコンテンツ処理方法は、検索結果のコンテンツ群を予め定めた優先順位に基づいて順位付けした後、各コンテンツからズーム対象となるオブジェクトを選択し、オブジェクト毎の同一画面内での詳細度変化や表示メディア遷移を連続的に実現するズーム操作／挙動を記述することによりコンテンツの検索結果一覧を生成して出力するコンテンツ処理装置におけるコンテンツ処理方法であって、前記表示コード生成部は、前記オブジェクトの表示メディアがテキストである場合に、前記オブジェクトに対するズーム率に対して前記オブジェクト内に表示すべき文字行数を対応付けてズーム操作／挙動を記述する。
【発明の効果】
【００２６】
本発明によれば、表示メディアがテキストである場合に、ズーム率に対して表示すべき文字数を対応付けることにより、ズーム操作／挙動記述を簡潔にすることができるので、ズーム操作／挙動記述の手間やズーム操作／挙動記述量の低減を図ることができ、可読性を向上させることができるという効果を奏する。
【００２７】
また、本発明によれば、表示メディアがテキストである場合に、ズーム率に対して表示すべき文字行数を対応付けることにより、ズーム操作／挙動記述を簡潔にすることができるので、ズーム操作／挙動記述の手間やズーム操作／挙動記述量の低減を図ることができ、可読性を向上させることができるという効果を奏する。
【発明を実施するための最良の形態】
【００２８】
以下に添付図面を参照して、この発明にかかるコンテンツ処理装置、コンテンツ処理プログラムおよびコンテンツ処理方法の最良な実施の形態を詳細に説明する。
【００２９】
本発明の実施の一形態を図１ないし図１０に基づいて説明する。
【００３０】
［１．Ｗｅｂ環境でのコンテンツ閲覧における画面遷移の概要］
最初に、本発明の前提となるＷｅｂ環境でのコンテンツ閲覧における画面遷移の概要について説明する。
【００３１】
本実施の形態においては、Ｗｅｂ環境でのコンテンツ閲覧効果を高めることを目的に、Ｗｅｂ環境におけるコンテンツに対し、ズーミングを利用して詳細度の変化だけでなく、表示メディアの遷移を実現できる「ズーミング・クロスメディア」を適用するようにしたものである。
【００３２】
「ズーミング・クロスメディア」は、ズーム操作を、スクロール、アンカークリックに対する第３の操作と位置づけることにある。スクロールは同一画面内で注視点を連続的に移動させ、アンカークリックは異なる画面に飛ぶのに対し、ズーミング・クロスメディアは同一画面内で詳細度変化や表示メディア遷移を連続的に実現する。表示メディア遷移とは、相互に関連づけられた互いに異なるメディアオブジェクトに関し、ズーム操作に従って、一方から他方へ表示を連続的に変化させたり、一方を表示した状態に加えてもう一方を連続的に拡大しつつ追加表示させたり（もしくはその逆）することである。動画像に関連付けられた字幕テキストを表示するに際し、動画像のみの表示から、ズーミング操作と共に次第に字幕テキストに移り変わっていく、というようなものがその一例である。
【００３３】
このようなズーミング操作／挙動は、ズーム対象、ズーム率、ズーム伝播の３つの基本概念を基にモデル化されている。
１．ズーム対象
「ズーム対象」はズーム操作の対象となる単位で、コンテンツを構成するテキスト、静止画像、動画像、音声の各「メディアオブジェクト」から構成される。閲覧者は所望のズーム対象を指定してズーム操作を行う。
２.ズーム率
「ズーム率」はズーム対象に対して一意的に定まる値で、ズームの程度を表す0.0以上1.0以下の連続値である。ズーム率が大きくなる方向にズーミングすることをズームイン、小さくなる方向にズーミングすることをズームアウトという。各メディアオブジェクトに対し、ズーム率は具体的な属性（フォントサイズ、画像サイズ、動画像や音声の再生区間等）に対応付けられる。
３.ズーム伝播
「ズーム伝播」はあるズーム対象をズーミングすると他のズーム対象も連動してズーミングすることである。ズーム伝播では、伝播元ズーム対象のズーム率から、予め定められた「ズーム率関係」を基に伝播先のズーム率を計算し、伝播先ズーム対象の表示の状態を制御する。ズーム率関係は伝播元と伝播先のズーム率の変化の比率である。
【００３４】
ここで、ズーム率関係がプラスの値の場合のズームの伝播の例について説明する。図１ないし図３は、Ｗｅｂ環境でのコンテンツ閲覧における画面遷移例を示す説明図である。図１は、ディスプレイに表示されるＷｅｂ環境でのコンテンツの一例を示す正面図である。図１に示す例は、Ｗｅｂ環境でのコンテンツとして「出張報告」を適用した例である。図１に示すＷｅｂ環境でのコンテンツは、オブジェクトとしてテキストを主体に構成されている。
【００３５】
図１に示すＷｅｂ環境でのコンテンツのオブジェクトＡに対してズームイン操作を行った結果を図２に示す。図２に示すように、Ｗｅｂ環境でのコンテンツのオブジェクトＡに対してズームイン操作を行った場合、オブジェクトＡの下位のオブジェクトＢが新たに表示されるとともに、新たなオブジェクトＣがオブジェクトＢの下部分に表示される。ここで、新たなオブジェクトＣは、オブジェクトＡに関連する討議がなされていた時点での討議風景を撮影した動画像の静止状態の画像である。
【００３６】
さらに、図２に示すＷｅｂ環境でのコンテンツのオブジェクトＡに対してズームイン操作を行った結果を図３に示す。図３に示すように、Ｗｅｂ環境でのコンテンツのオブジェクトＡに対してズームイン操作を行った場合、オブジェクトＡ，Ｂのフォントサイズが拡大される。加えて、図３に示すように、Ｗｅｂ環境でのコンテンツのオブジェクトＡに対してズームイン操作を行った場合、オブジェクトＣである静止画像の詳細度が高くなる（画像サイズが拡大する）。さらに、オブジェクトＣは、あるサイズにまで拡大すると、動画像（と音声）の再生を開始する。
【００３７】
このようなＷｅｂ環境でのコンテンツ閲覧における画面遷移は、以下に示すような表示記述（構造記述及びズーミング記述）で記述されている。なお、構造記述及びズーミング記述は、ＸＭＬ（Extensible Markup Language）ベースのズーミング記述言語（ＺＤＬ：Zooming Description Language ）で記述されている。
【００３８】
ここで、ズーミング記述について、以下に簡単な例を挙げて説明する。
【００３９】
１．メディアオブジェクトの指定
テキスト、静止画像、動画像、音声のそれぞれについて、<text/>，<img/>，<video/>，<audio/>のタグで表す。このタグにより、具体的なテキストの内容やソースファイルを指定する。
（例１）
<text id=text1>これはテキストです。</text>
<img id=img1 src="img1.jpg"/>
<video id=video1 src="video1.mpg"/>
<audio id=audio1 src="audio1.wav"/>
【００４０】
２．ズーム率の範囲
<div/>タグ内のzoomFactor属性にて、ズーム率の最大値、最小値を指定し、連続パラメータとしてのズーム率の範囲を表す。
（例２）
<div zoomFactor="0.0 0.5"/>
【００４１】
３．メディアオブジェクトの表示
テキスト、静止画像、動画像、音声のそれぞれについて、<dispText>，<dispImg>，<dispVideo>，<dispAudio>タグで表す。常に<div/>タグに内包され、<div/>タグで指定された範囲のズーム率における各メディアオブジェクトの表示の状態を表す。
（例３−１−１）
<div zoomFactor="0.0 0.5">
<dispText id="disptext1" textId="text1" fontSize="10pt 14pt"/>
</div>
上記の意味は、<text/>タグにてtext1で指定されたテキストを、ズーム率が0.0のときは10ptで、ズーム率が0.5のときは14ptでそれぞれ表示し、その間はなるべくなめらかにフォントサイズを変化させるというものである。
（例３−１−２−１）
<div zoomFactor="0.0 0.5">
<dispText id="disptext1" textId="text1" numOfChar="30 90"center="0"/>
</div>
上記の意味は、<text/>タグにてtext1で指定されたテキストを、ズーム率が0.0のときは先頭から30文字で、ズーム率が0.5のときは先頭から90文字でそれぞれ表示し、その間はなるべくなめらかに文字数を変化させるというものである。
（例３−１−２−２）
<div zoomFactor="0.0 0.5">
<dispText id="disptext1" textId="text1" numOfChar="30 90"center="1"/>
</div>
上記の意味は、<text/>タグにてtext1で指定されたテキストを、ズーム率が0.0のときはテキストの中央部分を含む前後合計30文字で、ズーム率が0.5のときはテキストの中央部分を含む前後合計90文字でそれぞれ表示し、その間はなるべくなめらかに文字数を変化させるというものである。
（例３−１−２−３）
<div zoomFactor="0.0 0.5">
<dispText id="disptext1" textId="text1" numOfLine="1 5"center="0"/>
</div>
上記の意味は、<text/>タグにてtext1で指定されたテキストを、ズーム率が0.0のときは先頭から1行で、ズーム率が0.5のときは先頭から5行でそれぞれ表示し、その間はなるべくなめらかに行数を変化させるというものである。
（例３−１−２−４）
<div zoomFactor="0.0 0.5">
<dispText id="disptext1" textId="text1" numOfLine="1 5"center="1"/>
</div>
上記の意味は、<text/>タグにてtext1で指定されたテキストを、ズーム率が0.0のときはテキストの中央部分を含む前後合計1行で、ズーム率が0.5のときはテキストの中央部分を含む前後合計5行でそれぞれ表示し、その間はなるべくなめらかに行数を変化させるというものである。
（例３−１−２−５）
<div zoomFactor="0.0 0.5">
<dispText id="disptext1" textId="text1" start="10pt 14pt"/>
</div>
上記の意味は、<text/>タグにてtext1で指定されたテキストを、ズーム率が0.0のときは10ptで、ズーム率が0.5のときは14ptでそれぞれ表示し、その間はなるべくなめらかにフォントサイズを変化させるというものである。
なお、上述した（例３−１−１）と、（例３−１−２−１）〜（例３−１−２−４）のいずれか１つは共存可能であるが、（例３−１−２−１）、（例３−１−２−２）、（例３−１−２−３）、（例３−１−２−４）の４者間は相互に競合するので、共存は不可とする。
（例３−２）
<div zoomFactor="0.0 0.5">
<dispImg id="dispimg1" imgId="img1" imgSize="10% 50%"/>
</div>
上記の意味は、<img/>タグにてimg1で指定された静止画像を、ズーム率が0.0のときは最大サイズの10%で、ズーム率が0.5のときは50%でそれぞれ表示し、その間はなるべくなめらかにサイズを変化させるというものである。
（例３−３）
<div zoomFactor="0.0 0.5">
<dispVideo id="dispvideo1" videoId="video1" start="0" end="300" videoSize="10% 50%"/>
</div>
上記の意味は、<video/>タグにてvideo1で指定された動画像の第0フレームから300フレームまでを、ズーム率が0.0のときは最大サイズの10%で，ズーム率が0.5のときは50%でそれぞれ表示し、その間はなるべくなめらかにサイズを変化させるというものである。
（例３−４）
<div zoomFactor="0.0 0.5">
<dispAudio id="dispaudio1" audioId="audio1" start="0s" end="30s"/>
</div>
上記の意味は、<audio/>タグにてaudio1で指定された音声の最初から30秒までを、ズーム率が0.0から0.5の間再生するというものである。
【００４２】
４．ズーム対象
ズーム対象を<zoomObject/>タグで記述する。初期ズーム率やズーム伝播先のズーム対象、ズーム率関係もタグ内の属性で記述する。<div/>もしくは他の<zoomObject/>のいずれかを必ず内包する。
【００４３】
以下に、図１ないし図３に示す画面遷移例についての構造記述及びズーミング記述を示す。なお、以下においては、コンテンツの構造記述とズーミングの操作／挙動に関するズーミング記述を分けて記述している（onlyHierarchy="on"は構造のみの記述であることを示す）。
（コンテンツの構造記述）
<zoomObject id="zoom1" onlyHierarchy="on">
<text id="text1">1. 新教材の改善点について</text>
<text id="text2">参加者から教材の中身について意見を出してもらう。</text>
<zoomObject id="zoom2" onlyHierarchy="on">
<text id="text3">新しいものを次々に出していくにはどうすればよいか、
何度も使ってもらえるようにするにはどうすればよいか（問題提起）</text>
<zoomObject id="zoom3" onlyHierarchy="on">
<text id="text4">開発はもう少し短いスパンで作っていく必要がある。</text>
<text id="text5">３ヶ月毎にアップデートしていくつもり。</text> 
.......
</zoomObject>
<zoomObject id="zoom4" onlyHierarchy="on">
<video id="video1" src="会議11.mpg"/>
</zoomObject>
</zoomObject> 
<zoomObject id="zoom5" onlyHierarchy="on">
<text id="text10">ステップ６の通訳者メモについて初めて.….</text>
.......
</zoomObject> 
.......
</zoomObject>
（ズーミングの操作／挙動に関するズーミング記述）
<zoomObject id="zoom1" initZoomFactor="0.0" relatedTo="children:0.8">
<div zoomFactor="0.0 1.0">
<dispText id="disptext1" textId="text1" textSize="12pt 14pt"/>
<dispText id="disptext2" textId="text2" textSize="12pt 14pt"/>
</div>
</zoomObject>
<zoomObject id="zoom2" initZoomFactor="0.0" relatedTo="children:0.8">
<div zoomFactor="0.0 1.0">
<dispText id="disptext5" textId="text3" textSize="11pt"/>
</div>
</zoomObject>
<zoomObject id="zoom3" initZoomFactor="0.0" relatedTo="brother:-0.5">
<div zoomFactor="0.1 1.0">
<dispText id="disptext6" textId="text4" textSize="8pt 10pt"/>
<dispText id="disptext7" textId="text5" textSize="8pt 10pt"/>
.......
</div>
</zoomObject>
<zoomObject id="zoom4" initZoomFactor="0.0" relatedTo="brother:-0.5">
<div zoomFactor="0.1 0.4">
<dispVideo id="dispvideo1" videoId="video1" start="0" end="0" videoSize="20% 50%"/>
</div>
<div zoomFactor="0.4 1.0">
<dispVideo id="dispvideo2" videoId="video1" start="0" end="900" videoSize="50% 100%"/>
</div>
</zoomObject>
【００４４】
このコンテンツの構造記述によれば、最上位にzoom1があり、その下位にzoom2、zoom5他が、さらにzoom2の下位にzoom3、zoom4がある。そして、zoom3は複数のテキスト（text4、text5他）から、zoom4は１つの動画像（video1）からそれぞれ構成されている。
【００４５】
また、ズーミングの操作／挙動に関するズーミング記述によれば、zoom1、zoom2、zoom3、zoom4いずれも初期ズーム率が0.0であるが、前２者は最初からテキスト（text1、text2、text3）が表示されるのに対し、後２者は何も表示されない（これは、図１の初期状態に対応している）。
【００４６】
ここで、zoom2をズームインすると、それが子階層のズーム対象に伝播する（relatedTo="children: 0.8"はズーム率関係0.8で子階層全てにズーム伝播することを表す）。zoom2のズーム率の増加に対してzoom3、zoom4のズーム率がその0.8の変化率で増加し（zoom2のズーム率が+0.5変化するとzoom3、zoom4はそれぞれ+0.4変化する）、0.1に達した時点でtext4、text5他とvideo1がそれぞれ表示される（図２参照）。これは、テキスト情報に加えて動画像情報が加わっているので、メディア拡張の例である。ただし、video1についてはここではまだフレーム0のみが静止状態で表示される。
【００４７】
この状態からさらにzoom2をズームインしていくと、zoom3、zoom4のズーム率もさらに増加し、text4、text5他のフォントサイズは拡大する。同時にvideo1の表示サイズも拡大し、zoom4のズーム率が0.4に達した時点でvideo1のフレーム0から900までが再生される（図３、詳細度変化の例）。
【００４８】
なお、図３の状態でzoom2をズームアウトすると、ズームインの場合とは逆にzoom3、zoom4も一緒にズームアウトして図２の状態になり、それぞれのズーム率が0.1以下になるとtext4、text5他とvideo1が画面から消えて図１の状態に戻る。あるいは、強制的に初期状態に戻す操作をすると、いかなる表示状態からであっても、図１の状態に戻る。
【００４９】
次に、ズーム率関係がマイナスの値の場合のズームの伝播の例について説明する。
【００５０】
図４は、Ｗｅｂ環境でのコンテンツ閲覧における画面遷移例を示す説明図である。図３に示すＷｅｂ環境でのコンテンツのオブジェクトＢに対してズームイン操作を行った結果を図４に示す。図４に示すように、Ｗｅｂ環境でのコンテンツのオブジェクトＢに対してズームイン操作を行った場合、オブジェクトＢのフォントサイズが拡大されているが、オブジェクトＣの表示サイズは縮小する。
【００５１】
前述したズーミングの操作／挙動に関するズーミング記述においては、zoom3、zoom4にはいずれも
relatedTo="brother: -0.5"
という記述がある。これは、共通の親を持つズーム対象間でズーム伝播が起こることを表している。ズーム率関係がマイナスの値であるのは、一方をズームインすると他方がズームアウトすることを示す。よって、図３の状態からzoom3のみを選択してズームインすると、zoom4がズームアウトする（text4、text5他はさらに拡大し、video1は逆に縮小することになる（図４参照））。
【００５２】
以上が、Ｗｅｂ環境でのコンテンツ閲覧における画面遷移の概要である。このような関係を簡単な具体例で表現したものが図５である。図５の例では、Ａ，Ｂ，Ｃがズーム対象で括弧内は初期状態のズーム率を表す。矢印はズームの伝播関係を表し、そのそばに付された値はズーム率関係である。ＡＢのズーム率関係は0.5なので、Ａ→Ｂとズーム伝播する際、Ａをズームインしてズーム率が0.0→0.8と変化すると、Ｂのズーム率が0.0→0.4と変化する。ＢとＣは相互にズーム伝播するが変化の比率がマイナス（-1.0）なので、一方をズームインすると他方はズームアウトする。例えば、初期状態はＣ（動画像）のみ表示で、Ｂ（テキスト＋音声）をズームインして拡大していくと、Ｃ（動画像）は次第に縮小する。この例のように、ズーム伝播を導入することで、表示メディアの遷移が容易に実現できるのが本モデリングの特徴である。
【００５３】
上述したようなズーミング記述によれば、一のメディアオブジェクト（テキスト、静止画像、動画像、音声等）をズーミングするとそれに連動して他のメディアオブジェクト（テキスト、静止画像、動画像、音声等）がズーミングするズーム対象間のズームの伝播を記述可能であることにより、一のズーム対象から他のズーム対象へ向けての自然なズーミングを行なうことができる。
【００５４】
ここで、Ｗｅｂ環境での閲覧操作やコンテンツの挙動と、コンテンツ作成者の意図について考察する。スクロール操作に関しては、コンテンツ作成者が何らかの意図を反映させる機会や必要性は低く、閲覧者が主にビューワのサイズに依存してスクロールを行う。一方、アンカークリックに関しては、クリックすべき対象（文字列や画像等によって表されるアンカー）とリンク先のＵＲＬについてコンテンツ作成者が明確な意図を持ってこれを記述するが、特に動的な挙動を記述する必要はない。
【００５５】
次に、ズーム操作について考える。ズーム操作に関しては、単純にコンテンツの画面全体をズームイン／アウトさせる程度であれば作成者が指定する事項は特に無いが、きめの細かいズーム操作を実現するには、ズーム操作を施すべき対象や、ズーム操作に従った詳細度や表示メディアの変化のさせ方を、コンテンツ作成者が明示的に意図して記述しておく必要がある。ここに、コンテンツ側にズーム操作・挙動を記述する意義がここにある。
【００５６】
すなわち、作成者がコンテンツの構造を反映したズーム操作／挙動をコンテンツ側に記述することで、従来のＺＵＩ（Zooming User Interfaces）とは異なり、Ｗｅｂ環境内の多様なコンテンツに対して汎用的にズーム操作を適用できるようになり、閲覧者側もズームの対象の選択や表示状態の制御をきめ細かく操作できるようになる。
【００５７】
そこで、本実施の形態においては、従来のコンテンツの構造記述とスタイル記述に対して操作／挙動記述を付加する新たなＷｅｂドキュメントモデルを提案し、その操作／挙動記述の一例としてズーミング記述言語（ＺＤＬ）を位置づけて連続的な閲覧操作を関連付けるようにした。これにより、図６に示すように、例えばＸＭＬ＋ＸＳＬ＋ＺＤＬの組み合わせで構造、スタイル、操作／挙動をそれぞれ独立に記述することが可能となる。
【００５８】
このようなＷｅｂドキュメントモデルの導入により、既存のコンテンツも含めてズーム操作を導入でき、汎用的なＷｅｂドキュメント環境への適用可能性を高めることができるようになる。さらに、ズーミング記述言語（ＺＤＬ）を適宜差し替えることにより、閲覧状況や閲覧者の好みに合わせた表示も可能となる。
【００５９】
［２．コンテンツ処理装置の説明］
本実施の形態は、Ｗｅｂ環境におけるコンテンツとして検索エンジン（例えば、ロボット検索エンジン）によるＷｅｂページの検索結果一覧を適用し、このＷｅｂページの検索結果一覧をズーミング記述言語（ＺＤＬ）の形式で出力することができるコンテンツ処理装置に適用したものである。
【００６０】
このようにズーミング・クロスメディアを情報検索に適用したのは、ズーミング・クロスメディアの大きな効用はコンテンツ閲覧の自由度を高めることができることであることから、固定的な表示内容や表示メディアではなくユーザの好みに応じて内容の詳細度の変化や表示メディアの遷移を制御することができる点にある。すなわち、Ｗｅｂページの検索結果一覧画面において、リンク先のＷｅｂページを開くことなくそれが所望の情報か否かを判断するのに必要な情報の詳細度や表示メディアは、検索対象の分野に関する閲覧者の知識、閲覧時の状況、検索対象の情報の形態等によって様々に変化すると考えられるからである。例えば、検索対象の分野になじみの深い閲覧者はタイトルだけでも判断可能だが、不案内な閲覧者の場合はより詳細なテキスト記述に加えて画像データも欲しいなどということはあり得る。時間をかけて１つ１つのリンク先を開く余裕がある場合もあれば、逆に全体的な傾向をざっと一覧したい場合もある。リンク先がテキスト主体であればその抜粋（または要約）が結果一覧画面に提示されるのが適当だが、画像を多く含むリンク先の場合は主要な画像を２，３枚表示するほうが都合良いこともある。このような様々な状況を予め想定して、複数の固定的な検索結果一覧画面を生成するのは現実的ではない。ここにおいて、複数メディアを混在／遷移させて表示でき、かつ、閲覧者の状況や好みに応じて柔軟に詳細度や表示メディアを制御できるズーミング・クロスメディアの特徴が生きてくることになる。
【００６１】
［２−１．コンテンツ処理装置を含むシステム構築例］
図７は、コンテンツ処理装置を含むシステム構築例を示す模式図である。本システムは、図７に示すように、コンテンツ処理装置であるサーバコンピュータ（以下、サーバという）１にインターネットであるネットワークＮを介して端末装置であるクライアントコンピュータ（以下、クライアント端末という）Ｃが複数台接続されたシステムを想定する。なお、このようなネットワーク通信を伴うクライアント・サーバ方式のみに本発明は限定されないことはいうまでもない。
【００６２】
コンテンツ処理装置であるサーバ１は、概略的には、インターネットであるネットワークＮ上の一般的なＷｅｂページを対象にキーワードに基づくＷｅｂページ検索を行い、ズーミング記述言語（ＺＤＬ）の形式でＷｅｂページの検索結果一覧を出力するものである。
【００６３】
クライアント端末Ｃは、一般的なパーソナルコンピュータ等であり、Ｗｅｂブラウザを用いることによりサーバ１とのデータ送受信が可能になっている。このクライアント端末Ｃは、閲覧者からのＷｅｂページのキーワード検索要求を受け付けてサーバ１に出力するとともに、サーバ１においてズーミング記述言語（ＺＤＬ）の形式で出力された閲覧者に対するＷｅｂページの検索結果一覧を解釈して表示する。すなわち、クライアント端末Ｃは、コンテンツ処理装置であるサーバ１に対する入出力デバイスである。
【００６４】
図８は、サーバ１の構成を示すブロック図である。本実施の形態のコンテンツ処理装置であるサーバ１は、パーソナルコンピュータを主体に構成されており、情報処理を行うＣＰＵ（Central Processing Unit）２と、ＢＩＯＳ（Basic Input Output System）等を格納するＲＯＭ（Read Only Memory）３と、情報を処理中に一時的に格納するＲＡＭ（Random Access Memory）４と、アプリケーションプログラムや処理結果等を保存する記憶部であるＨＤＤ（Hard Disk Drive）５と、情報を外部に保管又は配布し若しくは情報（アプリケーションプログラム等）を外部から入手するための記憶媒体であるリムーバブルメディア６のドライブ６ａと、外部の他の電子機器と通信するためのネットワークＮに接続するためのネットワークインタフェース８と、処理経過や処理結果等をユーザに表示する表示部であるディスプレイ９と、操作者がコンテンツ処理装置であるサーバ１に命令や情報等を入力するためのキーボード１０やマウス１１等の入力部とから構成され、これらの間のデータ通信をバスコントローラ１２が調停して動作している。
【００６５】
なお、リムーバブルメディア６としては、フレキシブルディスク、ハードディスク、磁気テープ等のような磁気的な記憶媒体、ＭＯのような光磁気的な記憶媒体、ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ等のような光学的な記憶媒体、半導体メモリ等、各種の記憶媒体が適用できる。
【００６６】
データ送信は、コンテンツ処理装置であるサーバ１のネットワークインタフェース８へとデータを送ることにより、ネットワークインタフェース８がネットワークＮへと信号を出力する。また、ネットワークインタフェース８が受け取った信号については、ネットワークインタフェース８において必要かどうかの判断がなされ、必要なデータであれば取り込み、不必要であれば破棄する、というような処理が行われる。すなわち、あらゆるデータの送受信は、すべてネットワークインタフェース８を経由して行われることになる。
【００６７】
一般的には、ユーザがコンテンツ処理装置であるサーバ１の電源を投入すると、ＣＰＵ２はＲＯＭ３内のＢＩＯＳに含まれるローダーというプログラムを起動させ、ＨＤＤ５からオペレーティングシステム（ＯＳ）という当該サーバ１のハードウェアとソフトウェアとを管理するプログラムをＲＡＭ４に読み込む。ＯＳは起動すると、ユーザの操作に応じてアプリケーションプログラムの起動、情報の読み込み、保存等をサポートする。代表的なＯＳとしては、Ｗｉｎｄｏｗｓ（Microsoft Corporationの登録商標）、ＵＮＩＸ（Ｘ/Open, Inc.の登録商標）等が知られている。これらのＯＳ上で走るプログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００６８】
また、一般的には、コンテンツ処理装置であるサーバ１のＨＤＤ５にインストールされるアプリケーションプログラムは、リムーバブルメディア６に記録され、このリムーバブルメディア６に記録されたアプリケーションプログラムがＨＤＤ５にインストールされる。このため、リムーバブルメディア６も、アプリケーションプログラムを記憶する記憶媒体となり得る。さらには、アプリケーションプログラムは、例えばネットワークインタフェース８を介して外部から取り込まれ、ＨＤＤ５にインストールされても良い。
【００６９】
コンテンツ処理装置であるサーバ１は、ＯＳ上で動作するアプリケーションプログラムが起動すると、このアプリケーションプログラムに従い、ＣＰＵ２が各種の演算処理を実行して各部を集中的に制御する。
【００７０】
［２−２．コンテンツ処理装置における処理］
次に、コンテンツ処理装置であるサーバ１のＣＰＵ２が実行する各種の演算処理のうち、アプリケーションプログラムの１つであるコンテンツ処理プログラムに従って実行する本実施の形態の特長的な処理について以下に説明する。
【００７１】
図９は、サーバ１を含むシステムの概略構成を示すブロック図である。図９に示すように、コンテンツ処理装置であるサーバ１は、ＣＰＵ２がコンテンツ処理プログラムに従って各部を制御することにより、Ｗｅｂ環境におけるコンテンツであるＷｅｂページ及びＷｅｂページの全文検索を行うための索引（インデックス）を保持するコンテンツ格納部であるデータベース２１を管理し、Ｗｅｂページをキーワード検索するコンテンツ検索制御部であるＤＢＭＳ（Data Base Management System）２２と、ＤＢＭＳ２２におけるデータベース検索結果を受け付け（コンテンツ検索結果受付部）、受け付けた検索結果を予め定めた優先順位に基づいて順位付けしてズーミング記述言語（ＺＤＬ）の形式でＷｅｂページの検索結果一覧を出力する表示コード生成部２３と、を実現する。
【００７２】
なお、索引（インデックス）にのせるキーワードをＷｅｂページから取り出すには概略２つの方法が使われる。１つは自然言語処理で行う形態素解析を使って「検索／エンジン／を／使う」のように文章を最小の単語単位に分ける方法である。もう１つの方法はＮグラムと呼ばれる方法で、あらゆるＮ文字の文字列を強引に切り出してキーワードにする方法である。たとえばＮ＝３ならば、「検索エ／索エン／エンジ／ンジン／ジンを／ンを使／を使う」のように切り出すものである。このようにして作られた索引（インデックス）からユーザが入力したキーワードを探し出せば、ＷｅｂページのＵＲＬ（Uniform Resource Locator）がわかり、短い時間で検索結果を表示できる。
【００７３】
すなわち、このような構成により、クライアント端末Ｃ側においては、閲覧者がＷｅｂブラウザ上でキーワード検索を開始すると、同時にズーミング記述言語（ＺＤＬ）を解釈・表示するＺＤＬビューワが起動される。そして、クライアント端末Ｃで入力された検索要求はサーバ１に送信される。コンテンツ処理装置であるサーバ１側では、クライアント端末Ｃで入力された検索要求を受け付けると、キーワードに基づくデータベース検索が実行される。表示コード生成部２３では、得られた検索結果のＷｅｂページ群を予め定めた優先順位に基づいて順位付けした後、各Ｗｅｂページからズーム対象となるオブジェクトを選択し、Ｗｅｂページの検索結果一覧をズーミング記述言語（ＺＤＬ）形式で生成する。生成されたズーミング記述言語（ＺＤＬ）形式のＷｅｂページの検索結果一覧はコンテンツ処理装置であるサーバ１からクライアント端末Ｃに送信され、ＺＤＬビューワ上に表示される。閲覧者は表示されたＷｅｂページの検索結果一覧に対して、適宜ズーミング操作を行うことになる。
【００７４】
［３．画面遷移例］
（実施例１）
ここでは、ＤＢＭＳ２２によりＷｅｂページを検索した結果、検索結果一覧<overview/>の中に各Ｗｅｂページ<web/>の情報が以下に示すような構造で整理されたものとする。
<overview>
<web>
<url> http://***.***.co.jp/ </url>
<title> 検索結果の表示方法 </title>
<text> 例えば、検索対象の分野になじみの深い閲覧者はタイトルだけでも判断可能だが、不案内な閲覧者の場合はより詳細なテキスト記述に加えて画像データも欲しいなどということはあり得る。時間をかけて１つ１つのリンク先を開く余裕がある場合もあれば、逆に全体的な傾向をざっと一覧したい場合もある。</text>
<image> webimage1.jpg</image>
</web>
<web>
……
</web>
……
</overview>
ここで、<url/>は検索結果のＷｅｂページのＵＲＬ、<title/>はＷｅｂページのタイトル、<text/>はＷｅｂページから抜き出したテキストの一部、<image/>はそのＷｅｂページの画面キャプチャ画像である。これらを検索する技術は、周知の検索エンジンの技術と基本的に同様である。
【００７５】
以下において、実施例１である画面遷移例についての構造記述及びズーミング記述を示す。ここでは、ズーム率の増大に従って、ズーム対象のテキストの先頭からの文字数を増加させる例を示す。
（ズーミングの操作／挙動記述）
<template name="Overview"match="/overview"initZoomFactor="0.0">
<propagation destination="Web"select="web"/>
</template>
</template name="Web"match="/overview/web"initZoomFactor="0.0">
<text select="title">
<dispText zoomFactor="0.0"fontSize="14pt"/>
<dispText zoomFactor="1.0"fontSize="14pt"/>
</text>
<text select="text">
<dispText zoomFactor="0.0"fontSize="14pt"numOfChar="30"center="0"/>
<dispText zoomFactor="1.0"fontSize="14pt"numOfChar="150"center="0"/>
</text>
…………
</template>
【００７６】
ここで、図１０は実施例１におけるＷｅｂページの検索結果一覧に対するズーミング操作例を示す説明図である。図１０に示すように、実施例１においては、初期検索結果は検索結果のＷｅｂページの重要な部分であるタイトルと１行のテキストのみがクライアント端末ＣのＺＤＬビューワ上に表示される。検索結果一覧全体をズームインすると、それぞれの結果に対してより長いテキストが現れる。また、検索結果一覧の個別結果をズームインすると、さらに長いテキストが現れる。なお、最初から個別結果のズームインも可能である。そして、最初から、または、途中でクリックするとＷｅｂページにアンカークリックで飛ぶことになる。すなわち、初期画面では検索結果のＷｅｂページの重要な部分のみを表示し、ズーミング操作に伴って次第に詳細化していくものである。
【００７７】
上記の記述の<text select="title"/>と<text select="text"/>の部分に即して説明すると、初期状態（ズーム率0.0）ではtitleとtextの先頭３０文字のみが表示され、最大ズーム率1.0に達すると、textが先頭から１５０文字に増加する（ただし、ここではtextの総文字数が１５０文字以下なので、最大文字数分の１３８文字が表示される）。即ち、以下のようになる。
《ズーム率0.0》における検索結果の表示内容
例えば、検索対象の分野になじみの深い閲覧者はタイトルだけでも
《ズーム率1.0》における検索結果の表示内容
例えば、検索対象の分野になじみの深い閲覧者はタイトルだけでも判断可能だが、不案内な閲覧者の場合はより詳細なテキスト記述に加えて画像データも欲しいなどということはあり得る。時間をかけて１つ１つのリンク先を開く余裕がある場合もあれば、逆に全体的な傾向をざっと一覧したい場合もある。
【００７８】
（実施例２）
実施例２である画面遷移例についての構造記述及びズーミング記述を以下に示す。なお、Ｗｅｂページを検索した結果は実施例１と同様の構造である。ここでは、ズーム率の増大に従って、ズーム対象のテキストの中央部分を含む前後の合計文字数を増加させる例を示す。
（ズーミングの操作／挙動記述）
<template name="Overview"match="/overview"initZoomFactor="0.0">
<propagation destination="Web"select="web"/>
</template>
</template name="Web"match="/overview/web"initZoomFactor="0.0">
<text select="title">
<dispText zoomFactor="0.0"fontSize="14pt"/>
<dispText zoomFactor="1.0"fontSize="14pt"/>
</text>
<text select="text">
<dispText zoomFactor="0.0"fontSize="14pt"numOfChar="30"center="1"/>
<dispText zoomFactor="1.0"fontSize="14pt"numOfChar="150"center="1"/>
</text>
…………
</template>
【００７９】
表示の遷移の概要は実施例１で示した図１０と基本的に同様なので省略する。上記の記述の<text select="title"/>と<text select="text"/>の部分に即して説明すると、初期状態（ズーム率0.0）ではtitleとtextの中央部分を含む前後合計３０文字のみが表示され、最大ズーム率1.0に達すると、textが中央部分を含む前後合計１５０文字に増加する（ただし、ここではtextの総文字数が１５０文字以下なので、最大文字数分の１３８文字が表示される）。即ち、以下のようになる。
《ズーム率0.0》における検索結果の表示内容
キスト記述に加えて画像データも欲しいなどということはあり得る
《ズーム率1.0》における検索結果の表示内容
例えば、検索対象の分野になじみの深い閲覧者はタイトルだけでも判断可能だが、不案内な閲覧者の場合はより詳細なテキスト記述に加えて画像データも欲しいなどということはあり得る。時間をかけて１つ１つのリンク先を開く余裕がある場合もあれば、逆に全体的な傾向をざっと一覧したい場合もある。
【００８０】
（実施例３）
実施例３である画面遷移例についての構造記述及びズーミング記述を以下に示す。なお、Ｗｅｂページを検索した結果は実施例１とやや異なり、次のようにテキストの改行位置が予め定まっている点が異なっている。
<overview>
<web>
<url> http://***.***.co.jp/ </url>
<title> 検索結果の表示方法 </title>
<text>
例えば、検索対象の分野になじみの深い閲覧者はタイトルだけでも
判断可能だが、不案内な閲覧者の場合はより詳細なテキスト記述に
加えて画像データも欲しいなどということはあり得る。時間をかけ
て１つ１つのリンク先を開く余裕がある場合もあれば、逆に全体的
な傾向をざっと一覧したい場合もある。</text>
<image> webimage1.jpg</image>
</web>
<web>
……
</web>
……
</overview>
【００８１】
実施例３では、ズーム率の増大に従って、ズーム対象のテキストの先頭からの行数を増加させる例を示す。これは、上記検索結果のようにテキストの改行位置が予め定まっている場合に有効である。
（コンテンツの構造記述）
<zoomObject id="zoom1" onlyHierarchy="on">
<zoomObject id="zoom2" onlyHierarchy="on">
<text id="title1">検索結果の表示方法</text>
<text id="text1"> 
例えば、検索対象の分野になじみの深い閲覧者はタイトルだけでも
判断可能だが、不案内な閲覧者の場合はより詳細なテキスト記述に
加えて画像データも欲しいなどということはあり得る。時間をかけ
て１つ１つのリンク先を開く余裕がある場合もあれば、逆に全体的
な傾向をざっと一覧したい場合もある。 </text>
…………
</zoomObject> 
<zoomObject id="zoom3" onlyHierarchy="on">
<text id="title2"> 検索結果のズーミング表示 </text>
…………
</zoomObject>
…………
</zoomObject>
（ズーミングの操作／挙動記述）
<template name="Overview"match="/overview"initZoomFactor="0.0">
<propagation destination="Web"select="web"/>
</template>
</template name="Web"match="/overview/web"initZoomFactor="0.0">
<text select="title">
<dispText zoomFactor="0.0"fontSize="14pt"/>
<dispText zoomFactor="1.0"fontSize="14pt"/>
</text>
<text select="text">
<dispText zoomFactor="0.0"fontSize="14pt"numOfLine="1"center="0"/>
<dispText zoomFactor="1.0"fontSize="14pt"numOfLine="5"center="0"/>
</text>
…………
</template>
【００８２】
表示の遷移の概要は実施例１で示した図１０と基本的に同様なので省略する。上記の記述の<text select="title"/>と<text select="text"/>の部分に即して説明すると、初期状態（ズーム率0.0）ではtitleとtextの先頭1行のみが表示され、最大ズーム率1.0に達すると、textが先頭から５行に増加する。
《ズーム率0.0》における検索結果の表示内容
例えば、検索対象の分野になじみの深い閲覧者はタイトルだけでも
《ズーム率1.0》における検索結果の表示内容
例えば、検索対象の分野になじみの深い閲覧者はタイトルだけでも
判断可能だが、不案内な閲覧者の場合はより詳細なテキスト記述に
加えて画像データも欲しいなどということはあり得る。時間をかけ
て１つ１つのリンク先を開く余裕がある場合もあれば、逆に全体的
な傾向をざっと一覧したい場合もある。
【００８３】
（実施例４）
実施例４である画面遷移例についての構造記述及びズーミング記述を以下に示す。なお、Ｗｅｂページを検索した結果は実施例３と同様の構造である。ここでは、ズーム率の増大に従って、ズーム対象のテキストの中央部分を含む前後の合計行数を増加させる例を示す。これは、実施例３の検索結果のようにテキストの改行位置が予め定まっている場合に有効である。
（ズーミングの操作／挙動記述）
<template name="Overview"match="/overview"initZoomFactor="0.0">
<propagation destination="Web"select="web"/>
</template>
</template name="Web"match="/overview/web"initZoomFactor="0.0">
<text select="title">
<dispText zoomFactor="0.0"fontSize="14pt"/>
<dispText zoomFactor="1.0"fontSize="14pt"/>
</text>
<text select="text">
<dispText zoomFactor="0.0"fontSize="14pt"numOfLine="1"center="1"/>
<dispText zoomFactor="1.0"fontSize="14pt"numOfLine="5"center="1"/>
</text>
…………
</template>
【００８４】
表示の遷移の概要は実施例１に示した図１０と基本的に同様なので省略する。上記の記述の<text select="title"/>と<text select="text"/>の部分に即して説明すると、初期状態（ズーム率0.0）ではtitleとtextの中央１行のみが表示され、最大ズーム率1.0に達すると、textの中央部分を含む前後合計５行に増加する。
《ズーム率0.0》における検索結果の表示内容
加えて画像データも欲しいなどということはあり得る。時間をかけ
《ズーム率1.0》における検索結果の表示内容
例えば、検索対象の分野になじみの深い閲覧者はタイトルだけでも
判断可能だが、不案内な閲覧者の場合はより詳細なテキスト記述に
加えて画像データも欲しいなどということはあり得る。時間をかけ
て１つ１つのリンク先を開く余裕がある場合もあれば、逆に全体的
な傾向をざっと一覧したい場合もある。
【００８５】
このように本実施の形態によれば、表示メディアがテキストである場合に、ズーム率に対して表示すべき文字数や文字行数を対応付けることにより、ズーム操作／挙動記述を簡潔にすることができるので、ズーム操作／挙動記述の手間やズーム操作／挙動記述量の低減を図ることができ、可読性を向上させることができるという効果を奏する。
【００８６】
なお、本実施の形態においては、コンテンツ処理装置であるサーバ１に、各種オブジェクトから構成されるコンテンツを格納するコンテンツ格納部２１と、検索要求を受け付けて、コンテンツ格納部２１に格納されているコンテンツを検索するコンテンツ検索制御部２２とを備え、コンテンツ検索制御部２２による検索結果のコンテンツ群を受け付けるようにしたがこれに限るものではない。例えば、コンテンツ処理装置であるサーバ１にコンテンツ格納部２１とコンテンツ検索制御部２２とを備えずに、検索の部分については別の装置が行ったり、または、汎用検索エンジンを使い、その検索結果を受け付けるものであっても良い。
【００８７】
また、本実施の形態においては、インターネットであるネットワークＮ上の一般的なＷｅｂページを対象にキーワードに基づくＷｅｂページ検索を行い、ズーミング記述言語（ＺＤＬ）の形式でＷｅｂページの検索結果一覧を出力するようにしたが、ネットワーク上の一般のＷｅｂページに限るものではなく、サーバ内のローカルデータベースに存在する定型的な構造を持つＷｅｂページを対象に検索を行うようにしても良い。
【図面の簡単な説明】
【００８８】
【図１】本発明の前提となるＷｅｂ環境でのコンテンツ閲覧における画面遷移の概要を説明するためのディスプレイに表示されるマルチメディアコンテンツの一例を示す正面図である。
【図２】図１に示すマルチメディアコンテンツのオブジェクトＡに対してズームイン操作を行った結果を示す正面図である。
【図３】図２に示すマルチメディアコンテンツのオブジェクトＡに対してズームイン操作を行った結果を示す正面図である。
【図４】図３に示すマルチメディアコンテンツのオブジェクトＢに対してズームイン操作を行った結果を示す正面図である。
【図５】Ｗｅｂ環境でのコンテンツ閲覧における画面遷移の概要を簡単な具体例で表現した説明図である。
【図６】Ｗｅｂドキュメントモデルの一例を模式的に示す説明図である。
【図７】本発明の実施の一形態にかかるコンテンツ処理装置を含むシステム構築例を示す模式図である。
【図８】コンテンツ処理装置であるサーバの構成を示すブロック図である。
【図９】コンテンツ処理装置であるサーバを含むシステムの概略構成を示すブロック図である。
【図１０】Ｗｅｂページの検索結果一覧に対するズーミング操作例を示す説明図である。
【図１１】従来のウェブページの検索結果一覧に対する操作例を示す説明図である。
【符号の説明】
【００８９】
１        コンテンツ処理装置
２１      コンテンツ格納部
２２      コンテンツ検索制御部
２３      表示コード生成部
【図１】
0004736728.tif 000002
【図２】
0004736728.tif 000003
【図４】
0004736728.tif 000004
【図５】
0004736728.tif 000005
【図６】
0004736728.tif 000006
【図７】
0004736728.tif 000007
【図８】
0004736728.tif 000008
【図９】
0004736728.tif 000009
【図１０】
0004736728.tif 000010
【図１１】
0004736728.tif 000011
【図３】
0004736728.tif 000012